(57)【要約】      （修正有）【課題】サイクリング時の休憩用折り畳み椅子を自転車の車体を利用し簡単に作る。【解決方法】自転車の車体を少し傾け、ベース９、柱７、台座８、Ｌ字板５、偏心円筒カム６を具有し、ペダルアーム２をＬ字板に押しつけ結合して転倒を防ぐ支持部材に、第一〜第四の腕１０〜１３を具有する座部を設け、サドル４の下部より座部にシート１７を張り、背もたれのある椅子を作る。椅子は簡単に分解と折り畳みができ、携行に便利である。【選択図】図１
0003218993.tif 000002
【実用新案登録請求の範囲】
【請求項１】
自転車の車体を利用した休憩用折り畳み椅子であって、
ベースと、該ベースに固着されたおねじを持つ垂直方向の柱と、該柱に設置されためねじをもつ台座と、前記柱の上部に固着されたＬ形板と、該Ｌ形板に設置されたつばを持つ偏心円筒カムと、を具備し、休憩時自転車のペダルが最下部にある状態で、前記ペダルを前記台座上に乗せ、前記Ｌ形板の内角に前記ペダルアームを密着させ、前記つばを持つ偏心円筒カムのつば部と円筒部で前記ペダルアームを前記Ｌ形板に押し付け結合する支持部と、ベースに片端を水平ピン結合され自転車の外側面方向に伸び、先端に二股の垂直ピン結合部を持つ第一の腕と、前記垂直ピン結合部より水平方向にハの字に広がる２本の第二の腕と、該各々の腕の先端に水平ピンに結合された２本の斜め上向きの第三の腕と、該各々の腕の先端より水平ピンに接合され斜め下部に向かう２本の第四の腕と、第三と第四の腕の前記各々２か所の水平ピン結合部の各腕の間に作られたキー穴と、前記キー穴に挿入するキーを両端に固着した梁と、を具備し、前記キーを前記キー穴に挿入し、第二の腕のハの字の開度と第三の腕と第四の腕のピン結合とを固定した座部と、前記梁に下部を結合し、上部を自転車のサドル下部に吊り下げたシート部と、を特徴とする折り畳み椅子。
【考案の詳細な説明】
【技術分野】
【０００１】  サイクリングに携行し休憩時に使用する折り畳み椅子
【背景技術】
【０００２】  この考案は文献１の椅子を、より実用レベルに進化させた折り畳み椅子である。
【文献１】
特願  ２０１７−１６０６１８
【考案の開示】
【考案が解決しようとする課題】
【０００３】  上記文献１の椅子部は折り畳み可能であるが、サイクリングに携行するにはまだ大きくかつ現在サイクリング者は荷台の無い自転車で水筒のみ携行する人が多い。従って上記椅子を水筒の容積程度に折り畳めば携行可能である。サイクリング者がくつろぐに十分な容積を持ち、かつ小さく折り畳める椅子が課題である。
【課題を解決するための手段】
【０００４】ベースと、該ベースに固着されたおねじを持つ垂直方向の柱と、該柱に設置されためねじをもつ台座と、前記柱の上部に固着されたＬ形板と、該Ｌ形板に設置されたつばを持つ偏心円筒カムと、を具備し、休憩時自転車のペダルが最下部にある状態で、前記ペダルをねじ調整により前記台座上に乗せ、前記Ｌ形板の内角に前記ペダルアームを密着させ、前記つばを持つ偏心円筒カムのつば部と円筒部で前記ペダルアームを前記Ｌ形板に押し付け結合する支持部と、【０００５】ベースに片端を水平ピン結合され自転車の外側面方向に伸び、先端に二股の垂直ピン結合部を持つ第一の腕と、前記垂直ピン結合部より水平方向にハの字に広がる２本の第二の腕と、該各々の腕の先端に水平ピンに結合された２本の斜め上向きの第三の腕と、該各々の腕の先端より水平ピンに接合され斜め下部に向かう２本の第四の腕と、第三と第四の腕の前記各々２か所の水平ピン結合部の各腕の間に作られたキー穴と、前記キー穴に挿入するキーを両端に固着した梁と、を具備し、前記キーを前記キー穴に挿入し、第二の腕のハの字の開度と第三の腕と第四の腕のピン結合とを固定した座部と、【０００６】前記梁に下部を結合し、上部を自転車のサドル下部に吊り下げたシート部と、で背もたれのある椅子を組み立てる。【０００７】  折り畳み時は、サドル下部のシートを外し、シート下部の梁をキーごとキー穴より抜き取り、第四と第三の腕を接合させかつハの字に広がった第二の腕を閉じ、かつ第四第三の腕を第二の腕に接合させ、ベースを回転させて全ての腕と柱を略平行状態で折り畳むことにより解決する。
【考案の効果】
【０００８】  この考案により座部の幅が梁の長さとなり、また座部の奥行がほぼ第一の腕と第二の腕の長さとなり、座部の高さが第三と第四の腕で作られる三角形の頂点となっている。文献１の座部の骨材のように奥行が一体構造でなく幅も梁の取り外しにより閉じる事ができ、小さく折り畳める。【０００９】  また全ての腕と柱が略平行に折り畳め梁も取り外しができ平行に並べることができ、座部に使用したシートで巻くと水筒の形状に近く携行し良い。かつ事前に使用する自転車の寸法に調整固定出来るので、サイクリング時の休憩時に設置が簡単に出来る。
【考案を実施するための最良の形態】
【００１０】  以下図１、図２において実施形態の一例を示す。
１は自転車のフレームで、ペダルアーム２とペダル３とサドル４を備えている。ペダルアーム２はＬ形板５とつばを持つ偏心円筒カム６で結合されている。偏心円筒カム６はおねじの軸と偏心しためねじの孔で構成されており、移動可能であり、ペダルアーム２の幅をねじで調整し、偏心でペダルアームの厚みを調整する。つばの部分でペダルアーム２をＬ形板５の内角に押し付けるように調整し、ナットでロックしておく。偏心円筒カム軸はピン構造でＬ形板に結合されているので、矢印の方向でペダルアームとの結合が解除される。使用時は反矢印方向でペダルアームと結合させる。おねじで作られた柱７は上部でＬ形板と固着しており、Ｌ形板の下方にはペダルを載せるための台座８を持ち、ベース９に固着されている。台座８は自転車の種類による寸法違いを柱７のねじで調整しナットでロックしておくことができる。以上が支持部である。【００１１】  ベースに片端を水平ピンで留められ他端に二股の垂直ピン結合を持つ第一の腕１０と、第一の腕の先端より垂直ピンによって結合されハの字に水平に広がる２本の第二の腕１１と、第二の腕の先端より各々水平ピンで結合され斜め上向きの２本の第三の腕１２と、第三の腕先端より斜め下向きに向かい地面まで伸びる各々２本の第四の腕と、第三の腕と第四の腕とを結合する２か所の水平ピン結合部１４に、第三の腕と第四の腕との間に空間を設け、キー穴とし、梁１６の両端に固着されたキー１５を挿入し結合部１４と第二の腕の開度を固定する。以上が座部である。【００１２】  シート１７は上部をサドル４下部に結ばれ下部を梁１６に結合する。事前にシートの張り具合を調整しておきフックなどで留めるようにしておけばと簡単に設置できる。以上がシート部である。【００１３】  折り畳み時は、シート上部を取り外し、結合部１４より梁１６とキー１５を外す。矢印の方向に腕１３を閉じかつ腕１２と腕１１を閉じ水平に開いた腕１１を閉じる。柱７をベースごと回転させ腕１１，１２，１３と接合させる。梁１６は腕と柱と平行に並べ布１７で全体を巻く。
【図面の簡単な説明】
【００１４】
【図１】図１は椅子を展開し、自転車に取り付けた状態である。
【図２】図２は椅子を折り畳んだ状態を表す。
【符号の説明】
【００１５】１    自転車のフレーム
２    ペダルアーム
３    ペダル
４    サドル
５    Ｌ形板
６    偏心円筒カム
７    柱
８    台座
９    ベース
１０  第一の腕
１１  第二の腕
１２  第三の腕
１３  第四の腕
１４  第三の腕と第四の腕との水平ピン接合部
１５  キー
１６  梁
１７  シート
【図１】
0003218993.tif 000003
【図２】
0003218993.tif 000004